(57)【要約】【課題】ショルダーハッキングを防止することができる認証装置を備える什器を提供する。【解決手段】暗証番号を入力する入力部と暗証番号を表示する表示部とを有する認証装置を備える什器において、収納部２を開閉する前面板１２よりも内部側に、表示部１０を配置することで、収納部２を開閉する前面板１２の内部側は、正しい暗証番号を入力部に入力して認証装置により許可された者のみがアクセスできる領域となっており、この領域に表示部１０が設けられることで、収納部２を開放する前には、一切表示部１０を見ることはできなくなり、ショルダーハッキングを防止することができ、かつ入力者が自身の入力した暗証番号が正しいか否かを確認する必要がある暗証番号を設定する際には、収納部２を開放した状態で行えばよく、不用意に他者に暗証番号を盗み見られることがなくなる。【選択図】図３
2013130041.tif 000002
【特許請求の範囲】
【請求項１】
暗証番号を入力する入力部と該暗証番号を表示する表示部とを有する認証装置を備える什器において、
収納部を開閉する前面板よりも内部側に、前記表示部を配置することを特徴とする認証装置を備える什器。
【請求項２】
前記認証装置は、暗証番号を設定するときのみ、前記表示部に暗証番号が表示されるようにし、それ以外の状態では、前記表示部に暗証番号が非表示となる制御を行うことを特徴とする請求項１に記載の認証装置を備える什器。
【請求項３】
前記収納部が引出しとなっており、前記表示部が正面視で前記前面板により隠蔽される位置に設けられることを特徴とする請求項１または２に記載の認証装置を備える什器。
【請求項４】
前記表示部は、その表示面が上方を向くように前記引出しの内部に配置されることを特徴とする請求項３に記載の認証装置を備える什器。
【発明の詳細な説明】
【技術分野】
【０００１】
本発明は、暗証番号を入力する入力部と該暗証番号を表示する表示部とを有する認証装置を備える什器に関する。
【背景技術】
【０００２】
従来、オフィス等の屋内に設置された家具（什器）などに電気錠（認証装置）を備えたものがあり、このような電気錠では、テンキー（入力部）により暗証番号を入力することで解錠するものがある（例えば、特許文献１参照）。
【先行技術文献】
【特許文献】
【０００３】
【特許文献１】特開２００６−２３３６２２号公報
【発明の概要】
【発明が解決しようとする課題】
【０００４】
特許文献１に記載のような電気錠（認証装置）では、一般的に、暗証番号をテンキー（入力部）により入力する際、特に暗証番号を設定する際には、入力者が自身の入力した暗証番号が正しいか否かを確認する必要があるため、テンキーに近接して設けられたＬＣＤなどの表示部に、入力された暗証番号が表示されるようになっている。しかしながら、表示部に表示される暗証番号を、入力者の背後にいる他者に、入力者の肩越しに盗み見られるというショルダーハッキングの問題がある。
【０００５】
本発明は、このような問題点に着目してなされたもので、ショルダーハッキングを防止することができる認証装置を備える什器を提供することを目的とする。
【課題を解決するための手段】
【０００６】
前記課題を解決するために、本発明の認証装置を備える什器は、
暗証番号を入力する入力部と該暗証番号を表示する表示部とを有する認証装置を備える什器において、
収納部を開閉する前面板よりも内部側に、前記表示部を配置することを特徴としている。
この特徴によれば、収納部を開閉する前面板の内部側は、正しい暗証番号を入力部に入力して認証装置により許可された者のみがアクセスできる領域となっており、この領域に表示部が設けられることで、収納部を開放する前には、一切表示部を見ることはできなくなり、ショルダーハッキングを防止することができ、かつ入力者が自身の入力した暗証番号が正しいか否かを確認する必要がある暗証番号を設定する際には、収納部を開放した状態で行えばよく、不用意に他者に暗証番号を盗み見られることがなくなる。
【０００７】
本発明の認証装置を備える什器は、
前記認証装置は、暗証番号を設定するときのみ、前記表示部に暗証番号が表示されるようにし、それ以外の状態では、前記表示部に暗証番号が非表示となる制御を行うことを特徴としている。
この特徴によれば、正しい暗証番号を入力部に入力して認証装置により許可された者が収納部を開放した状態で、他者が収納部にアクセスしても、表示部は非表示となっており、暗証番号を見ることができなくなり、かつ入力者が自身の入力した暗証番号が正しいか否かを確認する必要がある暗証番号を設定する際には、表示部に暗証番号が表示されるため、不用意に他者に暗証番号を盗み見られることがなくなる。
【０００８】
本発明の認証装置を備える什器は、
前記収納部が引出しとなっており、前記表示部が正面視で前記前面板により隠蔽される位置に設けられることを特徴としている。
この特徴によれば、引出しを開放した状態であっても、表示部が正面視で前面板により隠蔽されて、他者が表示部を視認することが困難になり、不用意に他者に暗証番号を盗み見られることがなくなる。
【０００９】
本発明の認証装置を備える什器は、
前記表示部は、その表示面が上方を向くように前記引出しの内部に配置されることを特徴としている。
この特徴によれば、引出しを開放した状態であっても、引出しを上方から覗き込まない限り、表示部の表示面が視認できなくなり、不用意に他者に暗証番号を盗み見られることがなくなる。
【図面の簡単な説明】
【００１０】
【図１】発電装置を備える什器を示す斜視図である。
【図２】引出しの前面板の内部構造を示す部分断面図である。
【図３】引出しの前面板を示す縦断側面図である。
【図４】変形例における引出しの前面板を示す縦断側面図である。
【発明を実施するための形態】
【００１１】
本発明に係る認証装置を備える什器を実施するための形態を実施例に基づいて以下に説明する。
【実施例】
【００１２】
実施例に係る認証装置を備える什器につき、図１から図３を参照して説明する。図１の符号１は、オフィス等に設置される什器１である。この什器１は、上下３段の引出し２（収納部）が設けられている。そして、これらの引出し２には、引出し２を開放するための取手部３が設けられており、最上段の引出し２には、引出し２の施解錠を行うための摘み部４（操作部）と、施解錠の認証を行う認証装置５と、が設けられている。なお、取手部３は、ラッチ機構（図示略）と連係されており、ラッチ機構により引出し２が不用意に開放されないようにするとともに、取手部３を把持することでラッチ機構が解除されて引出し２が開放可能となる。
【００１３】
図２に示すように、引出し２の内部には、施解錠装置６（動作手段）が設けられている。この施解錠装置６は、前述した摘み部４を有しており、この施解錠装置６が認証装置５とも連動されており、認証装置５により認証が許可された操作者が施解錠を行うことができる。
【００１４】
また、動作部材７が解除方向（右方向）に移動されることで、その先端部が什器１の側板の受け座（図示略）から脱し、引出し２が開放可能になる。そして、認証装置５は、操作者が暗証番号を入力するためのテンキー９（入力部）と、暗証番号を設定（変更）する際に入力者が自身の入力した暗証番号が表示されるインジケータ１０（表示部）と、パネル状をなす太陽電池パネル１１と、これらが接続された制御部（図示略）と、を備えている。なお、テンキー９と太陽電池パネル１１とは、引出し２の前面板１２の前面に設けられている（図１及び図２参照）。さらに、インジケータ１０は、引出し２の前面板１２よりも内部側に設けられている（図３及び図３）。
【００１５】
また、認証装置５は、太陽電池パネル１１から供給される電力により稼働されるようになっている。さらに、認証装置５の制御部（図示略）には、太陽電池パネル１１にて発電された電力を蓄えるバッテリ（図示略）が設けられている。なお、認証装置５は、電気回路の作動を行うのみで、物理的な機械の動作を行わないようになっているため、室内灯などの微弱な光を用いて太陽電池パネル１１により発電される微量な電力であっても、認証装置５が充分に作動されるようになっている。
【００１６】
次に、本実施例におけるインジケータ１０について図３、図１０及び図３を参照して詳述する。前述したように、インジケータ１０は、引出し２の前面板１２よりも内部側に設けられている。引出し２を開閉する前面板１２の内部側は、正しい暗証番号を入力部に入力して認証装置５により許可された者のみがアクセスできる領域となっており、この領域にインジケータ１０が設けられることで、引出し２を開放する前には、一切インジケータ１０を見ることはできなくなり、ショルダーハッキングを防止することができ、かつ入力者が自身の入力した暗証番号が正しいか否かを確認する必要がある暗証番号を設定する際には、引出し２を開放した状態で行えばよく、不用意に他者に暗証番号を盗み見られることがなくなる。
【００１７】
そして、インジケータ１０が設けられる高さ位置は、前面板１２よりも低い位置に設けられており、引出し２を開放した状態であっても、インジケータ１０が正面視で前面板１２により隠蔽されるようになっている。そのため、引出し２を開放した状態であっても、他者がインジケータ１０を視認することが困難になり、不用意に他者に暗証番号を盗み見られることがなくなる。
【００１８】
また、認証装置５の制御部（図示略）は、暗証番号を設定（変更）するときのみ、インジケータ１０に暗証番号が表示されるようにし、それ以外の状態では、インジケータ１０に暗証番号が非表示となる制御を行うようになっている。つまり、通常使用時において、前述した認証操作等がなされても、暗証番号は表示されておらず、引出し２を開放した状態であっても、非表示のままとなっている。そして、暗証番号を設定（変更）する際には、入力者が自身の入力した暗証番号が正しいか否かを確認する必要があるため、入力した暗証番号がインジケータ１０に表示されるようになっている。
【００１９】
このようにすることで、正しい暗証番号を入力部に入力して認証装置５により許可された者が引出し２を開放した状態で、他者が引出し２を使用（アクセス）しても、インジケータ１０は非表示となっており、暗証番号を見ることができなくなり、かつ入力者が自身の入力した暗証番号が正しいか否かを確認する必要がある暗証番号を設定する際には、インジケータ１０に暗証番号が表示されるため、不用意に他者に暗証番号を盗み見られることがなくなる。
【００２０】
また、インジケータ１０は、その表示面が上方を向くように引出し２の内部に配置されている。このようにすることで、引出し２を開放した状態であっても、引出し２を上方から覗き込まない限り、インジケータ１０の表示面が視認できなくなり、不用意に他者に暗証番号を盗み見られることがなくなる。
【００２１】
なお、図４の変形例に示すように、引出し２ａの前面板１２の上面にインジケータ１０を設けるようにし、什器１の天板３８の前端縁でインジケータ１０を隠蔽するようにしてもよい。このように、本発明における前面板１２よりも内部側とは、前面板１２により収納部である引出し２ａを閉塞した状態で見えなくなる位置を示している。そして、インジケータ１０を前面板１２に設けるのみならず、引出し２を閉塞した状態で見えなくなり、引出し２を開放した状態で見える位置であれは、インジケータ１０を引出し２のその他の部位に設けるようにしてもよい。
【００２２】
以上、本発明の実施例を図面により説明してきたが、具体的な構成はこれら実施例に限られるものではなく、本発明の要旨を逸脱しない範囲における変更や追加があっても本発明に含まれる。
【００２３】
例えば、前記実施例では、オフィス等に設置される什器１の引出し２に対して本発明が適用された施解錠装置６が設けられているが、施解錠装置６は、什器１の引出し２のみならず、観音扉式の開閉部を有する什器や蓋体により収納部を開閉する什器に本発明が適用された施解錠装置６を設けるようにしてもよい。
【符号の説明】
【００２４】
１                什器
２                引出し（収納部）
５                認証装置
６                施解錠装置
９                テンキー（入力部）
１０              インジケータ（表示部）
１１              太陽電池パネル
１２              前面板
【図１】
2013130041.tif 000003
【図２】
2013130041.tif 000004
【図３】
2013130041.tif 000005
【図４】
2013130041.tif 000006